(57)【要約】【課題】  記憶媒体に画像データを保存する場合に、記憶媒体に保存されているデジタル写真の内容を容易に判別できるようにする印刷装置を提供する。【解決手段】  記憶媒体用接続端子（ＴＣＦ１Ａなど）を有するトレイ上の設置位置にセットされた記憶媒体（ＣＦカードなど）をプリンタの所定位置まで搬送して、記憶媒体用接続端子（ＴＣＦ１Ａなど）と接続されているトレイ裏面の端子（ＴＣＦ１）をプリンタの接点２８と接続させることにより、プリンタは記憶媒体に記憶されている画像を読み出して、トレイにセットされた記憶媒体の表面に読み出した画像を印刷する。【選択図】図３Ｃ
2005169871.tif 000002
【特許請求の範囲】
【請求項１】
記録ヘッドを用いて画像を印刷する印刷装置であって、
記憶したデータを読み出すための端子を有する記憶媒体に対応した接点を有するトレイを搬送する搬送手段と、
前記接点に前記記憶媒体の端子が接続された状態で前記搬送手段により前記記憶媒体が前記印刷装置内の所定位置に搬送されたときに、前記接点を介して前記記憶媒体に格納されているデータを読み出す読出手段と、
前記読出手段によって読み出されたデータに基づいて前記記憶媒体の表面に画像を印刷するように制御する制御手段と、
を有することを特徴とする印刷装置。
【請求項２】
前記記憶媒体の表面に印刷される画像は、前記記憶媒体に記憶されている画像または該画像に関する情報であることを特徴とする請求項１に記載の印刷装置。
【請求項３】
外部から印刷データを受信する受信手段と、前記受信手段により受信した印刷データと前記記憶媒体から読み出したデータとのいずれかを選択するデータ選択手段と、を更に有することを特徴とする請求項１に記載の印刷装置。
【請求項４】
前記受信手段により受信した印刷データと前記記憶媒体から読み出したデータとを合成する合成手段を更に有し、前記制御手段は、前記合成手段によって合成されたデータに基づいて前記記憶媒体の表面に画像を印刷するように制御することを特徴とする請求項３に記載の印刷装置。
【請求項５】
前記制御手段は、前記読出手段によって読み出されたデータに基づいて印刷媒体に画像を印刷するように制御することを特徴とする請求項１に記載の印刷装置。
【請求項６】
記録ヘッドを用いて画像を印刷する印刷装置であって、
記憶したデータを読み出すための端子を有する複数の記憶媒体に対応した各接点を有するトレイを搬送する搬送手段と、
前記各接点に前記複数の記憶媒体の端子がそれぞれ接続された状態で前記搬送手段により前記複数の記憶媒体が前記印刷装置内の所定位置に順次搬送されるときに、前記各接点を介して前記複数の記憶媒体に格納されているデータを順次読み出す読出手段と、
前記読出手段によって順次読み出されたデータに基づいて前記複数の記憶媒体の表面に順次読み出した画像を印刷するように制御する制御手段と、
を有することを特徴とする印刷装置。
【請求項７】
前記複数の記憶媒体は、異なる複数種の記憶媒体であり、前記トレイは、前記異なる複数種の記憶媒体に対応した各接点を有することを特徴とする請求項６に記載の印刷装置。
【請求項８】
前記複数の記憶媒体の表面に印刷される画像は、前記複数の記憶媒体にそれぞれ記憶されている画像または該画像に関する情報であることを特徴とする請求項６に記載の印刷装置。
【請求項９】
記憶したデータを読み出すための端子を有する記憶媒体に対応した接点を有するトレイを搬送する搬送手段を有し、記録ヘッドを用いて画像を印刷する印刷装置の制御方法であって、
前記接点に前記記憶媒体の端子が接続された状態で前記搬送手段により前記記憶媒体が前記印刷装置内の所定位置に搬送されたときに、前記接点を介して前記記憶媒体に格納されているデータを読み出す読出工程と、
前記読出工程によって読み出されたデータに基づいて前記記憶媒体の表面に画像を印刷するように制御する制御工程と、
を有することを特徴とする印刷装置の制御方法。
【請求項１０】
記憶したデータを読み出すための端子を有する複数の記憶媒体に対応した各接点を有するトレイを搬送する搬送手段を有し、記録ヘッドを用いて画像を印刷する印刷装置の制御方法であって、
前記各接点に前記複数の記憶媒体の端子がそれぞれ接続された状態で前記搬送手段により前記複数の記憶媒体が前記印刷装置内の所定位置に順次搬送されるときに、前記各接点を介して前記複数の記憶媒体に格納されているデータを順次読み出す読出工程と、
前記読出工程によって順次読み出されたデータに基づいて前記複数の記憶媒体の表面に順次読み出した画像を印刷するように制御する制御工程と、
を有することを特徴とする印刷装置の制御方法。
【発明の詳細な説明】
【技術分野】
【０００１】
本発明はＳＤカードやＣＦカードなどの記憶媒体をトレイに装着し、トレイを搬送してその表面に記憶媒体に格納された情報を印刷する印刷装置、その制御方法に関する。
【背景技術】
【０００２】
例えばワードプロセッサ、パーソナルコンピュータ、ファクシミリ等に於ける情報出力装置として、所望される文字や画像等の情報を用紙やフィルム等シート状の印刷媒体（記録媒体）に記録を行う記録装置が広く使用されている。
【０００３】
プリンタの記録方式としては様々な方式が知られているが、用紙等の印刷媒体（記録媒体）に非接触記録が可能である、カラー化が容易である、静粛性に富む、等の理由でインクジェット方式が近年特に注目されており、又その構成としては所望される印刷媒体に応じてインクを吐出する記録ヘッドを装着すると共に用紙等の印刷媒体の送り方向と直角な方向に往復走査しながら記録を行なうシリアル記録方式が安価で小型化が容易などの点から一般的に広く用いられている。
【０００４】
ところで、近年プリンタの印刷媒体が多様化しており、シール、Ｔシャーツなど旧来から楽しまれてきたものに加え、自作のＣＤ、ＤＶＤに直接印刷する機能も一般化している。
【０００５】
一方、デジタル写真の急速な普及と機器の小型化が相乗的に進展し、ユーザ個人レベルで扱うデジタル写真の量も急増し、ＣＦカード、ＳＤカード、メモリスティック等の小型の記憶媒体のビット単価の低下に伴って、「写真」の保存状態に変化が現れはじめている。そして、前述の記憶媒体から直接データを読み出し、記録媒体に対して記録する装置も登場している（特許文献１）。
【０００６】
すなわち、デジタルカメラからパーソナルコンピュータ（ＰＣ）にデータを吸い上げてからプログラムコードを用いて印刷媒体（用紙など）に印刷して保存するという手間のかかる手法でなく、例えば、デジタルカメラによって書き込まれた前述の記憶媒体などにそのままデジタル写真（画像データ）を保存する方法も行われるようになっている。これは、ユーザ層の拡大によりＰＣを持たないユーザあるいはＰＣが苦手なユーザの増加も背景にあると思われる。
【特許文献１】特開２００３−１２７４７２号公報
【発明の開示】
【発明が解決しようとする課題】
【０００７】
しかしながら、上記説明した記憶媒体にデジタル写真（画像データ）を保存する保存方法では、保存する記憶媒体の枚数が増えるほど、どれがどれかわからなくなる（記憶媒体に保存されている「写真」の内容をすぐに判別できない）という欠点があった。
【０００８】
この問題を解決するために記憶媒体の表面にシールなどを貼りつける方法が考えられるが、シールなどを貼りつけると記憶媒体がスロットに入らなったり、あるいは、スロットの中でシールなどが剥がれてトラブルの原因になる場合があった。そのため、これまでは記憶媒体上にマジックで印をつけるなどして識別するしか手がなかった。
【０００９】
本発明は上記説明した従来技術の問題点を克服するためになされたものであり、その目的は、記憶媒体にデジタル写真（画像データ）を保存する場合に、記憶媒体に保存されているデジタル写真の内容を容易に判別できるようにする印刷装置およびその制御方法を提供することである。
【課題を解決するための手段】
【００１０】
上記目的を達成するための本発明に係る一実施形態の印刷装置は、以下の構成を有する。すなわち、記録ヘッドを用いて画像を印刷する印刷装置であって、記憶したデータを読み出すための端子を有する記憶媒体に対応した接点を有するトレイを搬送する搬送手段と、前記接点に前記記憶媒体の端子が接続された状態で前記搬送手段により前記記憶媒体が前記印刷装置内の所定位置に搬送されたときに、前記接点を介して前記記憶媒体に格納されているデータを読み出す読出手段と、前記読出手段によって読み出されたデータに基づいて前記記憶媒体の表面に画像を印刷するように制御する制御手段と、を有することを特徴とする。
【００１１】
ここで、例えば、前記記憶媒体の表面に印刷される画像は、前記記憶媒体に記憶されている画像または該画像に関する情報であることが好ましい。
【００１２】
ここで、例えば、外部から印刷データを受信する受信手段と、前記受信手段により受信した印刷データと前記記憶媒体から読み出したデータとのいずれかを選択するデータ選択手段と、を更に有することが好ましい。
【００１３】
ここで、例えば、前記受信手段により受信した印刷データと前記記憶媒体から読み出したデータとを合成する合成手段を更に有し、前記制御手段は、前記合成手段によって合成されたデータに基づいて前記記憶媒体の表面に画像を印刷するように制御することが好ましい。
【００１４】
ここで、例えば、前記制御手段は、前記読出手段によって読み出されたデータに基づいて印刷媒体に画像を印刷するように制御することが好ましい。
【００１５】
上記目的を達成するための本発明に係る一実施形態の印刷装置は、以下の構成を有する。すなわち、記録ヘッドを用いて画像を印刷する印刷装置であって、記憶したデータを読み出すための端子を有する複数の記憶媒体に対応した各接点を有するトレイを搬送する搬送手段と、前記各接点に前記複数の記憶媒体の端子がそれぞれ接続された状態で前記搬送手段により前記複数の記憶媒体が前記印刷装置内の所定位置に順次搬送されるときに、前記各接点を介して前記複数の記憶媒体に格納されているデータを順次読み出す読出手段と、前記読出手段によって順次読み出されたデータに基づいて前記複数の記憶媒体の表面に順次読み出した画像を印刷するように制御する制御手段と、を有することを特徴とする。
【００１６】
ここで、例えば、前記複数の記憶媒体は、異なる複数種の記憶媒体であり、前記トレイは、前記異なる複数種の記憶媒体に対応した各接点を有することが好ましい。
【００１７】
ここで、例えば、前記複数の記憶媒体の表面に印刷される画像は、前記複数の記憶媒体にそれぞれ記憶されている画像または該画像に関する情報であることが好ましい。
【００１８】
上記目的を達成するための本発明に係る一実施形態の印刷装置の制御方法は、以下の構成を有する。すなわち、記憶したデータを読み出すための端子を有する記憶媒体に対応した接点を有するトレイを搬送する搬送手段を有し、記録ヘッドを用いて画像を印刷する印刷装置の制御方法であって、前記接点に前記記憶媒体の端子が接続された状態で前記搬送手段により前記記憶媒体が前記印刷装置内の所定位置に搬送されたときに、前記接点を介して前記記憶媒体に格納されているデータを読み出す読出工程と、前記読出工程によって読み出されたデータに基づいて前記記憶媒体の表面に画像を印刷するように制御する制御工程と、を有することを特徴とする。
【００１９】
上記目的を達成するための本発明に係る一実施形態の印刷装置の制御方法は、以下の構成を有する。すなわち、記憶したデータを読み出すための端子を有する複数の記憶媒体に対応した各接点を有するトレイを搬送する搬送手段を有し、記録ヘッドを用いて画像を印刷する印刷装置の制御方法であって、前記各接点に前記複数の記憶媒体の端子がそれぞれ接続された状態で前記搬送手段により前記複数の記憶媒体が前記印刷装置内の所定位置に順次搬送されるときに、前記各接点を介して前記複数の記憶媒体に格納されているデータを順次読み出す読出工程と、前記読出工程によって順次読み出されたデータに基づいて前記複数の記憶媒体の表面に順次読み出した画像を印刷するように制御する制御工程と、を有することを特徴とする。
【発明の効果】
【００２０】
本発明の印刷装置およびその制御方法によれば、記憶媒体にデジタル写真（画像データ）を保存する場合に、記憶媒体に保存されている内容を示す画像などを判別して記録媒体の表面に印刷することができるので記憶媒体に保存されているデジタル写真の内容を容易に判別できる。
【発明を実施するための最良の形態】
【００２１】
以下添付図面を参照して本発明の好適な実施形態について詳細に説明する。
【００２２】
なお、以下に説明する実施形態では、インクジェット記録方式を用いた記録装置としてインクジェットプリンタを例に挙げ説明する。
【００２３】
本明細書において、「記録」（「描画」「印字」という場合もある）とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も示すものとする。
【００２４】
また、「記録媒体」とは、一般的な記録装置で用いられる紙のみならず、広く、布、プラスチック・フィルム、金属板、ガラス、セラミックス、木材、皮革等、インクを受容可能なものも示すものとする。
【００２５】
さらに、「インク」（「液体」と言う場合もある）とは、上記「記録（描画）」の定義と同様広く解釈されるべきもので、記録媒体上に付与されることによって、画像、模様、パターン等の形成または記録媒体の加工、或いはインクの処理（例えば記録媒体に付与されるインク中の色剤の凝固または不溶化）に供され得る液体を示すものとする。
【００２６】
［本実施形態の概要］
本実施形態の説明では、インクジェットプリンタのトレイに記憶媒体（例えば、ＳＤカード、ＣＦカード、メモリスティックなど）をセットし、このトレイを所定位置まで搬送してインクジェットプリンタ本体の接点に記憶媒体を接続させ、この接点を介して記憶媒体に記憶されている画像情報をインクジェットプリンタが読み出し、その読み出した画像情報を記憶媒体の表面に印刷することにより、記憶媒体に保存されている内容を容易に判別できる印刷装置およびその制御方法について詳細に説明する。
【００２７】
［機構部の構成］
以下の説明では、まず、図５〜図９を用いてインクジェットプリンタの機構部の構成について説明し、次に、図１〜図３Ｂを用いて、本インクジェットプリンタの特徴ある構成について説明する。
【００２８】
インクジェットプリンタ本体の機構部は、給紙部、用紙搬送部、排紙部、キャリッジ部、クリーニング部および外装部に分類することができるので、以下、順次それらの概要を説明する。
【００２９】
［給紙部：図５〜図９］
まず給紙部について説明する。図５および図６は、インクジェットプリンタの斜視図であり、図５は非使用状態、図６は使用状態をそれぞれ示している。また、図７〜図９は、インクジェットプリンタ本体の内部機構を説明する図であり、図７は右上部からの斜視図、図８は左上部からの斜視図および図９はインクジェットプリンタ本体の側断面図をそれぞれ示したものである。
【００３０】
上記図５〜図９を参照するに、給紙部は記録媒体（印刷媒体：用紙など）を積載する圧板Ｍ２０１０（図９）、記録媒体を１枚ずつ給紙する給紙ローラＭ２０８０（図９）、記録媒体を分離する分離ローラＭ２０４１（図９）、記録媒体を積載位置に戻す為の戻しレバーＭ２０２０（図９）、等がベースＭ２０００（図７）に取り付けられる構成となっている。
【００３１】
ベースＭ２０００（図７）または外装には、積載された記録媒体を保持する為の給紙トレイＭ２０６０（図６）が取り付けられている。給紙トレイＭ２０６０は多段式で使用時は回転させて用いるものである。
【００３２】
給紙ローラＭ２０８０（図９）は、断面円弧の棒状をしている。用紙基準よりに１つの分離ローラゴムが設けられており、これによって記録媒体を給紙する。給紙ローラＭ２０８０の駆動力は、給紙部に設けられた専用ＡＳＦモータＥ０１０５（図７）から不図示の駆動伝達ギア、遊星ギアによって伝達される。
【００３３】
圧板Ｍ２０１０（図９）には可動サイドガイドＭ２０３０（図９）が移動可能に設けられて、記録媒体の積載位置を規制している。圧板Ｍ２０１０はベースＭ２０００（図７）に結合された回転軸を中心に回転可能で、圧板ばねＭ２０１２（図９）により給紙ローラＭ２０８０（図９）に付勢される。給紙ローラＭ２０８０と対向する圧板Ｍ２０１０の部位には、枚数が残り少なくなった状態での記録媒体の重送を防止するために、人工皮等の摩擦係数の大きい材質からなる分離シートＭ２０１３（図９）が設けられている。圧板Ｍ２０１０は、圧板カムによって、給紙ローラＭ２０８０に、当接、離間できるように構成されている。
【００３４】
ベースＭ２０００には、記録媒体を一枚ずつ分離するための分離ローラＭ２０４１を取り付けた分離ローラホルダＭ２０４０（図９）が、ベースＭ２０００に設けられた回転軸を中心に回転可能に設置され、不図示の分離ローラバネにより給紙ローラＭ２０８０に付勢されている。分離ローラＭ２０４１（図９）には、不図示のクラッチが取り付けられており、所定以上の負荷がかかると、分離ローラＭ２０４１が取り付けられた部分が、回転する構成になっている。分離ローラＭ２０４１は、分離ローラリリースシャフトＭ２０４４（図９）と不図示のコントロールカムによって、給紙ローラＭ２０８０（図９）に、当接、離間できるように構成されている。これら圧板Ｍ２０１０、戻しレバーＭ２０２０、および分離ローラＭ２０４１の位置は、オートシートフィードセンサ（以下ＡＳＦセンサと言う）Ｅ０００９（図７）によって検知されている。
【００３５】
記録媒体を積載位置に戻す為の戻しレバーＭ２０２０（図９）は、回転可能にベースＭ２０００に取り付けられており、解除方向に不図示の戻しレバーバネで付勢されている。記録媒体を戻す時は、コントロールカムによって回転するように構成されている。
【００３６】
以上の構成を用いて給紙部における給紙する状態について以下に説明する。
【００３７】
通常の待機状態において、圧板Ｍ２０１０（図９）は不図示の圧板カムでリリースされ、分離ローラＭ２０４１（図９）は不図示のコントロールカムでリリースされている。また、戻しレバーＭ２０２０（図９）は記録媒体を戻し、積載状態の記録媒体が奥に入らないように、積載口を塞ぐような積載位置に設けられている。
【００３８】
給紙を行う際には、まずモータ駆動によって、分離ローラＭ２０４１（図９）が給紙ローラＭ２０８０（図９）に当接する。そして、戻しレバーＭ２０２０（図９）がリリースされて、圧板Ｍ２０１０（図９）が給紙ローラＭ２０８０（図９）に当接する。この状態で、記録媒体の給紙が開始される。記録媒体は、ベースＭ２０００（図９）に設けられた不図示の前段分離部Ｍ２００１で制限され、記録媒体の所定枚数のみが給紙ローラＭ２０８０と分離ローラＭ２０４１から構成されるニップ部に送られる。送られた記録媒体はニップ部で分離され、最上位の記録媒体のみが搬送される。
【００３９】
記録媒体が、搬送ローラＭ３０６０（図９）およびピンチローラＭ３０７０（図９）まで到達すると、圧板Ｍ２０１０（図９）は不図示の圧板カムによって、分離ローラＭ２０４１（図９）はコントロールカムによって、リリースされる。戻しレバーＭ２０２０（図９）は、コントロールカムによって積載位置に戻る。これにより、給紙ローラＭ２０８０（図９）と分離ローラＭ２０４１（図９）とから構成されるニップ部に到達していた記録媒体は積載位置まで戻される。
【００４０】
［用紙搬送部：図５〜図９］
次に、用紙搬送部について説明する。曲げ起こした板金からなるシャーシＭ１０１０（図９）には、記録媒体を搬送する搬送ローラＭ３０６０（図９）とペーパエンドセンサ（以下ＰＥセンサと称す）Ｅ０００７（図９）が回動可能に取り付けられている。搬送ローラＭ３０６０は、金属軸の表面にセラミックの微小粒がコーティングされた構成となっており、両軸の金属部分を不図示の軸受けが受ける状態で、シャーシＭ１０１０に取り付けられている。不図示の軸受けと搬送ローラＭ３０６０（図９）との間には、不図示のローラテンションバネが設けられており、搬送ローラＭ３０６０を付勢することにより、回転時に適量の負荷を与えて安定した搬送が行えるようになっている。  
搬送ローラＭ３０６０には、従動する複数のピンチローラＭ３０７０（図９）が当接して設けられている。ピンチローラＭ３０７０は、ピンチローラホルダＭ３０００（図９）に保持されているが、不図示のピンチローラバネによって付勢されることで、搬送ローラＭ３０６０に圧接し、ここで記録媒体の搬送力を生み出している。この時、ピンチローラホルダＭ３０００（図９）の回転軸は、シャーシＭ１０１０（図９）の軸受けに取り付けられ、この位置を中心に回転する。
【００４１】
記録媒体が搬送されてくる入口には、記録媒体をガイドするためのペーパガイドフラッパＭ３０３０（図９）およびプラテンＭ３０４０（図９）が配設されている。また、ピンチローラホルダＭ３０００（図９）には、ＰＥセンサレバーＭ３０２１（図９）が設けられており、ＰＥセンサレバーＭ３０２１は、記録媒体の先端および後端の検出をＰＥセンサ−Ｅ０００７（図９）に伝える役割を果たす。プラテンＭ３０４０は、シャーシＭ１０１０（図９）に取り付けられ、位置決めされている。ペーパガイドフラッパＭ３０３０（図９）は、不図示の軸受け部を中心に回転可能で、シャーシＭ１０１０に当接することで位置決めされる。また、不図示の軸受け部は、搬送ローラＭ３０６０（図９）と嵌合して摺動する。搬送ローラＭ３０６０の記録媒体搬送方向における下流側には、不図示の記録ヘッドが設けられている。
【００４２】
上記構成における用紙搬送部の搬送の過程について以下説明する。用紙搬送部に送られた記録媒体は、ピンチローラーホルダＭ３０００（図９）及びペーパガイドフラッパＭ３０３０（図９）に案内されて、搬送ローラＭ３０６０（図９）とピンチローラＭ３０７０（図９）とのローラ対に送られる。この時、ＰＥセンサレバ−Ｍ３０２１（図９）が、記録媒体の先端を検知して、これにより記録媒体に対する記録位置が求められている。搬送ローラＭ３０６０とピンチローラＭ３０７０とからなるローラ対は、ＬＦモータＥ０００２（図９）の駆動により回転され、この回転により記録媒体がプラテンＭ３０４０（図９）上を搬送される。プラテンＭ３０４０には、搬送基準面となるリブが形成されており、このリブにより、不図示の記録ヘッドと記録媒体表面との間のギャップが管理されている。また同時に、当該リブが、後述する排紙部と合わせて、記録媒体の波打ちを抑制する役割も果たしている。
【００４３】
搬送ローラＭ３０６０（図９）が回転するための駆動力は、例えばＤＣモータからなるＬＦモータＥ０００２（図９）の回転力が、不図示のタイミングベルトを介して、搬送ローラＭ３０６０（図９）の軸上に配設されたプーリＭ３０６１（図８）に伝達されることによって得られている。また、搬送ローラＭ３０６０の軸上には、搬送ローラＭ３０６０による搬送量を検出する為のコードホイールＭ３０６２（図８）が設けられており、隣接するシャーシＭ１０１０には、コードホイールＭ３０６２に形成されたマーキングを読み取るためのエンコードセンサＭ３０９０（図８）が配設されている。尚、コードホイールＭ３０６２に形成されたマーキングは、１５０〜３００ｌｐｉ（ライン／インチ；参考値）のピッチで形成されているものとする。
【００４４】
［排紙部：図５〜図９］
次に、排紙部について説明する。
【００４５】
排紙部は、第１の排紙ローラＭ３１００（図９）および第２の排紙ローラＭ３１１０（図９）、複数の拍車Ｍ３１２０（図９）およびギア列などから構成されている。第１の排紙ローラＭ３１００は、金属軸に複数のゴム部を設けて構成されている。第１の排紙ローラＭ３１００の駆動は、搬送ローラＭ３０６０（図９）の駆動が、アイドラギアを介して第１の排紙ローラＭ３１００まで伝達されることによって行われている。
【００４６】
第２の排紙ローラＭ３１１０（図９）は、樹脂の軸にエラストマの弾性体Ｍ３１１１（図８）を複数取り付けた構成になっている。第２の排紙ローラＭ３１１０（図９）の駆動は、第１の排紙ローラＭ３１００（図９）の駆動が、アイドラギアを介して伝達すること行われる。
【００４７】
拍車Ｍ３１２０（図９）は、周囲に凸形状を複数設けた例えばＳＵＳでなる円形の薄板を樹脂部と一体としたもので、拍車ホルダＭ３１３０（図９）に複数取り付けられている。この取り付けは、コイルバネを棒状に設けた拍車バネによって行われているが、同時に拍車バネのばね力は、拍車Ｍ３１２０を排紙ローラＭ３１００（図９）およびＭ３１１０に対し所定圧で当接させている。この構成によって拍車Ｍ３１２０は、２つの排紙ローラＭ３１００およびＭ３１１０に従動して回転可能となっている。
【００４８】
拍車Ｍ３１２０のいくつかは、第１の排紙ローラＭ３１００のゴム部、あるいは第２の排紙ローラＭ３１１０の弾性体Ｍ３１１１（図８）の位置に設けられており、主に記録媒体の搬送力を生み出す役割を果たしている。また、その他のいくつかは、ゴム部Ｍ３１０１あるいは弾性体部Ｍ３１１１が無い位置に設けられ、主に記録時の記録媒体の浮き上がりを抑える役割を果たしている。また、ギア列は、搬送ローラＭ３０６０の駆動を排紙ローラＭ３１００およびＭ３１１０に伝達する役割を果たしている。
【００４９】
第１の排紙ローラＭ３１００と第２の排紙ローラＭ３１１０の間には、不図示の紙端サポートが設けられている。紙端サポートは、記録媒体の両端を持ち上げて、第１の排紙ローラＭ３１００の先で記録媒体を保持することにより、記録媒体に成された記録を、キャリッジの擦過などから守る役割を果たしている。具体的には、先端に不図示のコロが設けられた樹脂部材が、不図示の紙端サポートバネによって付勢されて、所定の圧力で不図示のコロを記録媒体に押し付けることで、記録媒体の両端が持ち上げられ、こしを作り、所定の位置に保持できるように構成されている。
【００５０】
上記構成における排紙部における排紙について以下説明する。
【００５１】
以上の構成によって、画像形成された記録媒体は、第１の排紙ローラＭ３１１０（図９）と拍車Ｍ３１２０（図９）とのニップに挟まれ、搬送されて排紙トレイＭ３１６０（図６）に排出される。排紙トレイＭ３１６０は、複数に分割され、後述する下ケースＭ７０８０（図５）の下部に収納できる構成になっている。使用時は、引出して使用する。また、排紙トレイＭ３１６０は、先端に向けて高さが上がり、更にその両端は高い位置に保持されるよう設計されており、排出された記録媒体の積載性を向上し、記録面の擦れなどを防止している（図６）。
【００５２】
［キャリッジ部：図５〜図９］
次に、キャリッジ部について説明する。キャリッジ部は、不図示の記録ヘッドを取り付けるためのキャリッジＭ４０００（図７）を有しており、キャリッジＭ４０００は、ガイドシャフトＭ４０２０（図７）およびガイドレールＭ１０１１（図７）によって支持されている。ガイドシャフトＭ４０２０（図７）は、シャーシＭ１０１０（図７）に取り付けられており、記録媒体の搬送方向に対して直角方向にキャリッジＭ４０００を往復走査させるように案内支持している。ガイドレールＭ１０１１は、シャーシＭ１０１０に一体に形成されており、キャリッジＭ４０００の後端を保持して不図示の記録ヘッドと記録媒体との隙間を維持する役割を果たしている。また、ガイドレールＭ１０１１のキャリッジＭ４０００との摺動側には、ステンレス等の薄板からなる摺動シートＭ４０３０（図７）が張設され、インクジェットプリンタの摺動音の低減化を図っている。
キャリッジＭ４０００は、シャーシＭ１０１０に取り付けられたキャリッジモータＥ０００１（図８）によりタイミングベルトＭ４０４１を介して駆動される。また、タイミングベルトＭ４０４１（図７）は、アイドルプーリＭ４０４２（図７）によって張設、支持されている。更に、タイミングベルトＭ４０４２は、キャリッジＭ４０００とゴム等からなるキャリッジダンパーを介して結合されており、キャリッジモータＥ０００１等の振動を減衰することで、記録される画像のむら等を低減している。
【００５３】
キャリッジＭ４０００の位置を検出する為のエンコーダスケールＥ０００５（図７）が、タイミングベルトＭ４０４１（図７）と平行に設けられている。エンコーダスケールＥ０００５上には、１５０〜３００ｌｐｉのピッチでマーキングが形成されており、当該マーキングを読み取るためのの不図示のエンコーダセンサが、キャリッジＭ４０００に搭載された不図示のキャリッジ基板に設けられている。不図示のキャリッジ基板には、不図示の記録ヘッドと電気的な接続を行う為の不図示のヘッドンタクトも設けられている。また、キャリッジＭ４０００には、電気基板Ｅ００１４から不図示の記録ヘッドへ、駆動信号を伝えるための不図示のフレキシブルケーブルＥ００１２が接続されている。
【００５４】
不図示の記録ヘッドをキャリッジＭ４０００（図７）に固定する為の構成として、不図示の記録ヘッドをキャリッジＭ４０００に押し付けながら位置決めする為の不図示の突き当て部と、所定の位置に固定する為の不図示の押圧手段が、キャリッジＭ４０００上に設けられている。押圧手段は、ヘッドセットレバーＭ４０１０（図７）に搭載され、不図示の記録ヘッドをセットする際に、ヘッドセットレバーＭ４０１０を回転支点中心に回して、不図示の記録ヘッドに作用する構成になっている。
【００５５】
さらに、キャリッジＭ４０００（図７）には、ＣＤ−Ｒ等の特殊メディアへ記録を行う際や、記録結果や用紙端部等の位置検出用として、反射型の光センサからなる位置検出センサＭ４０９０（図８）が取り付けられている。位置検出センサＭ４０９０は、発光素子より発光し、その反射光を受光することで、キャリッジＭ４０００の現在位置を検出することができる。
【００５６】
上記構成におけるキャリッジ部による画像形成について以下説明する。
【００５７】
上記構成において記録媒体に画像形成する場合、行位置に対しては、搬送ローラＭ３０６０（図７）およびピンチローラＭ３０７０（図７）からなるローラ対が、記録媒体を搬送して位置決めする。また、列位置に対しては、キャリッジモータＥ０００１（図８）によりキャリッジＭ４０００（図７）を上記搬送方向と垂直な方向に移動させて、不図示の記録ヘッドを目的の画像形成位置に配置させる。位置決めされた不図示の記録ヘッドは、電気基板Ｅ００１４（図７）からの信号に従って、記録媒体に対しインクを吐出する。不図示の記録ヘッドにより記録を行いながらキャリッジＭ４０００（図７）が列方向に走査する記録主走査と、搬送ローラＭ３０６０（図７）により記録媒体が行方向に搬送される副走査とを交互に繰り返すことにより、記録媒体上に画像を形成していく構成となっている。
【００５８】
［クリ−ニング部：図５〜図９］
次に、クリ−ニング部について説明する。クリーニング部は、不図示の記録ヘッドのクリーニングを行うためのポンプＭ５０００（図７）、不図示の記録ヘッドの乾燥を抑えるためのキャップＭ５０１０（図７）、不図示の記録ヘッドの吐出口形成面をクリーニングするためのブレードＭ５０２０（図７）などから構成されている。
【００５９】
クリーニング部には、専用のクリーニングモータＥ０００３が配されている。クリーニングモータＥ０００３（図７）には、不図示のワンウェイクラッチが設けられており、一方向の回転でポンプが作動し、もう一方向の回転ではブレードＭ５０２０（図７）が動作すると同時にキャップＭ５０１０（図７）の昇降動作が作用するようになっている。
【００６０】
ポンプＭ５０００（図７）では、不図示のポンプコロが２本の不図示のチューブをしごくことによって負圧が発生させるように構成されている。またキャップＭ５０１０（図７）は、不図示の弁などを介してポンプＭ５０００に接続されている。キャップＭ５０１０を不図示の記録ヘッドのインク吐出口に密着させた状態で、ポンプＭ５０００を作用させると、不図示の記録ヘッドから不要なインク等が吸引されるようになっている。更にキャップＭ５０１０の内側部分には、吸引後のヘッドのフェイス面に残るインクを削減する為に、キャップ吸収体Ｍ５０１１（図８）が設けられている。また、キャップＭ５０１０を開けた状態で、キャップＭ５０１０に残っているインクを吸引することにより、残インクによる固着およびその後の弊害が起こらないように配慮されている。なお、ポンプＭ５０００で吸引されたインクは廃インクとなり、下ケースＭ７０８０（図５）に設けられた不図示の廃インク吸収体に吸収され、ここに保持される。
【００６１】
ブレードＭ５０２０（図７）の動作、キャップＭ５０１０（図７）の昇降、および不図示弁の開閉など、連続して行われる一連の動作は、軸上に複数のカムを設けた不図示のメインカムによって制御される。それぞれの部位のカムやアームがメインカムに作用され、所定の動作を行うことが可能となっている。不図示のインカムＭ５０３０の位置は、フォトインタラプタ等の位置検出センサで検出することができる。キャップＭ５０１０（図７）の降時には、ブレードＭ５０２０（図７）がキャリッジＭ４０００（図７）の走査方向に垂直に移動し、不図示の記録ヘッドのフェイス面をクリーニングする構成となっている。ブレードＭ５０２０は、不図示の記録ヘッドのノズル近傍をクリーニングするものと、フェイス面全体をクリーニングするものと、複数設けられている。そして、キャリッジＭ４０００が、一番奥に移動した際には、ブレードクリーナーＭ５０６０（図７）に当接することにより、ブレードＭ５０２０自身へ付着したインクなども除去することができる構成になっている。
【００６２】
［外装部：図５〜図９］
［給紙部］、［用紙搬送部］、［排紙部］、［キャリッジ部］、［クリ−ニング部］で説明した各ユニットは、主にシャーシＭ１０１０に組み込まれ、インクジェットプリンタの機構部分を形成している。外装は、その回りを覆うように取り付けられている。外装部は主に、下ケースＭ７０８０（図５）、上ケースＭ７０４０（図５）、アクセスカバーＭ７０３０（図５）、コネクタカバーおよびフロントカバーＭ７０１０（図５）から構成されている。
【００６３】
下ケースＭ７０８０の下部には、不図示の排紙トレイレールが設けられており、分割された排紙トレイＭ３１６０（図６）が収納可能に構成されている。また、フロントカバーＭ７０１０（図５）は、非使用時に排紙口を塞ぐ構成になっている。
【００６４】
上ケースＭ７０４０（図５）には、アクセスカバーＭ７０３０（図５）が取り付けられており、回動可能に構成されている。上ケースの上面の一部は開口部を有しており、この位置で、インクタンクＨ１９００（図７）および不図示の記録ヘッドが交換可能な様に構成されている。なお、ここにおいては、１色のインクを吐出可能な不図示の記録ヘッドを複数色分一体的に構成した記録ヘッドユニットに対し、インクタンクＨ１９００が色毎に独立に着脱可能なヘッドカートリッジ構成となっている。更に、上ケースには、アクセスカバーの開閉を検知する為の不図示のドアスイッチレバー、ＬＥＤの光を伝達・表示するＬＥＤガイドＭ７０６０（図５）、基板のスイッチ（ＳＷ）に作用するキースイッチＭ７０７０（図５）等が設けられている。また、多段式の給紙トレイＭ２０６０（図５）が回動可能に取り付けられており、給紙部が使われない時は、給紙トレイＭ２０６０を収納すれることにより、給紙部のカバーにもなるように構成されている。
【００６５】
上ケースＭ７０４０（図５）と下ケースＭ７０８０（図５）は、弾性を持った勘合爪で取り付けられており、その間のコネクタ部分が設けられている部分を、不図示のコネクタカバーが覆っている。
【００６６】
［トレイの構成：図１］
図１は、本実施形態におけるトレイの構成を示す図である。ここにおいて、１は、記録媒体を乗せてプリンタの搬送路に装着されるトレイであり、位置検出用の反射板２に、記録媒体を固定する溝ＳＤ１〜３、ＭＳ１〜２、ＣＦ１〜２を表面にもつ。ここでＳＤ１〜３はＳＤカード、ＭＳ１〜２はメモリスティック、ＣＦ１〜２はコンパクトフラッシュ（登録商標）カードの固定用で、各々に、データ読み出し用の接点を備える。
【００６７】
裏面には、上記読み出し用接点を接続された。突起上に設けられたプリンタ側接点ＴＣＦ１〜２、ＴＭＳ１〜２、ＴＳＤ１〜３を有する。ＴＣＦ１〜２はＣＦ１〜２に、ＴＭＳ１〜２はＭＳ１〜２に、ＴＳＤ１〜３はＳＤ１〜３にそれぞれ対応し、ひとつの記録媒体に対応する接点が、搬送方向に直交して一列になるように配されている。
【００６８】
また、プリンタ側接点のそれぞれの列の延長上に、記録媒体の形式を表わす識別用（切換用）接点３をもつ。すなわち、ＴＣＦ１〜２の延長上にはＣＦカードであることを示すビット配列の接点が、ＴＭＳ１〜２の延長上にはメモリスティックであることを示すビット配列の接点が、ＴＳＤ１〜３には、ＳＤカードであることを示すビット配列の接点が並び、さらにメモリスティックに関しては、通常のロングサイズであるかＤＵＯ（ハーフサイズ）であるかがここで判別可能となっている。（ＭＳ１〜２の構内に反射板を設けて判別する等でもよい）
［プリンタの制御回路構成：図２］
図２は、本実施形態におけるプリンタの制御回路構成を示すブロック図である。ここにおいて、４はＣＰＵで、ＲＯＭ５に格納されたプログラムに従って、各種演算＋倫理判断を行い、後述する各構成要素の制御を司る。６はＲＡＭで、プリンタ制御に必要な各種制御パラメータ及び印刷する画像データを一時格納する。
【００６９】
７は印刷制御部で、ＣＰＵ４からの指令により、トレイ１や紙の搬送、後述するキャリッジの駆動、印刷ヘッドの駆動、各種センサ状態の検出を行い、印刷する。８はキーであり、トレイ装填／印刷／トレイ排出を指示するユーザ操作を、ＣＰＵ１に伝達する。９はインターフェイスで、図示しないホスト機器からの印刷コマンド・データを受信する。１０はＳＤカード用の読み出し制御回路である。
【００７０】
１１はメモリスティック用、１２はＣＦカード用であり。各々の記憶媒体用の制御信号はセレクタ１３に接続され、セレクタ１３はＣＰＵ４の指示に従って選択された媒体用の制御信号を、搬送路上に設けた読み出し用接点１４に接続する。１５は電源回路で、ＣＰＵ４の指示により、読み出し用接点１４のうち選択された記憶媒体によってあらかじめ決められている電源／ＧＮＤピンに相当する接点に電源・ＧＮＤを接続供給する。１６はメディア検出部で、読み出し制御信号用接点１４と並んで搬送路上に設けた判別用接点１７からの情報により、読み出そうとしている記録媒体の判別を行う。読み出し用接点１４は、搬送路に装填されたトレイ１裏面の、ＴＣＦ１〜２またはＴＭＳ１〜２またはＴＳＤ１〜３のいずれかと電気的に接続される。判別用接点１７は、搬送路に装填されたトレイ１裏面の切換用接点３のうちのいずれかと電気的に接続される。
【００７１】
［搬送路の概略構成：図３Ａ、３Ｂ、３Ｃ］
図３Ａおよび図３Ｂは、本実施形態における搬送路の概略構成を示す断面図及び上面視図である。また、図３Ｃは、ＣＧカード用接続端子（ＴＣＦ１Ａ）とＣＦ用端子（ＴＣＦ１）の接続を説明する部分断面図である。
【００７２】
図３Ａおよび図３Ｂにおいて、２０はキャリッジであり、記録ヘッド３１を搭載し、印刷制御部７の駆動によりキャリア軸２１上を移動して、印刷媒体（記録媒体、用紙など）上の所望の位置でまたは後述するトレイに装着された記憶媒体（ＳＤカード、ＣＦカードなど）の所望の位置で記録ヘッド３１が駆動される（インクを吐出して印刷する）よう動作する。また、反射形センサ３２を持ち、トレイ１の反射板２を検出して、搬送路上に配置されるトレイ１の有無や搬送されるトレイの位置を判別する。
【００７３】
２９はプラテンであり、複数のリブを有し、印刷媒体（記録媒体、用紙など）やトレイ１に装着された（乗せられた）記憶媒体（ＳＤカード、ＣＦカードなど）と、プリントヘッド３１との間隔を、キャリッジ２０の走査範囲にわたって規定の距離に保つ役割を持つ。３０はプラテン吸収体であり、印刷媒体に先・後端／左右端の余白なく印刷を行う（ふちなし印字）時に、印刷媒体からはみ出して印刷された部分のインクを吸収することによりプラテン２９の汚れを防ぐ。
【００７４】
２３は紙送りローラで、印刷制御部７の駆動により、ピンチローラ２２との間に印刷媒体あるいはトレイを挟み込んで搬送する。２４は第一の排紙ローラで、キャリッジ２０の走査方向に複数個間隔をあけて配置され、紙送りローラ２３と連動する軸で回転駆動されることにより、拍車２６との間に印刷メディアやトレイを保持して、排紙やトレイ引き込みを行う。
【００７５】
２５は第２の排紙ローラで、キャリッジ２０の走査方向に複数個間隔をあけて配置され、紙送りローラ２３と連動する軸で回転駆動されることにより、拍車２７との間に印刷メディアやトレイを保持して、排紙やトレイの引き込みを行う。２８は接点（読み出し用接点１４、判別用接点１７：図２参照）であり、トレイ１を搬送路に装填した状態で、トレイ１に装着された各記憶媒体ごとの裏面プリンタ側接点に、全ピン接触できるよう、キャリッジ走査方向に沿って複数端子が配置されている。なお、インクジェットプリンタ本体は上記の接点と接触すると、接触した接点を介して接触した記憶媒体内に格納された画像データを各記憶媒体用のインターフェース１０，１１，１２を介して読み出すことができる。
【００７６】
トレイ裏のプリンタ側接点とその突起はトレイが搬送路上を搬送方向に移動した場合も排紙ローラ２４／２５及びプラテン上のリブと干渉しない位置、すなわち、搬送方向に排紙ローラ及びプラテンリブが存在しない位置に設けられている。接点２８にはまた、トレイ１裏の接点が設けられている突起に接触することで開くシャッター機構３３が設けられており、トレイ１の未装填状態でのホコリ等による接点の汚れ、機能低下を防止する。
【００７７】
接点２８及びシャッター機構３３は、トレイ１裏面の接点及び突起とのみ接触する（上下方向の）位置に設けられ、すなわち第１／第２の排紙ローラ上端を結んだ搬送面よりも下に外形の最高部が来るよう配せられており、通常の印刷媒体の搬送やトレイの接点・突起以外の部分が相対する状態では、搬送対象に接触することはない。
【００７８】
ここで、図３Ｃに一例を示すＣＧカード用接続端子（ＴＣＦ１Ａ）とＣＦ用端子（ＴＣＦ１）の接続を説明する部分断面図を用いて、トレイ１内に設置されるＣＧカードと接点２８の接続について説明をする。端子ＴＣＦ１Ａは、ＣＦカード用の接続端子であり、端子ＴＣＦ１は、接点２８と接するＣＦカード用の端子であり、ＣＦカードの端子ＴＣＦ１Ａとは信号線でトレイ１内で接続されている。そのため、図３Ｃの接点２８の位置にトレイ１が搬送されてくると、トレイ１内に配置されたＣＧカードは、ＣＧカード用接続端子（ＴＣＦ１Ａ）とＣＦ用端子（ＴＣＦ１）とを介して接点２８と電気的に接続される。このためインクジェットプリンタはＣＧカード内に記憶されたデータの読み出しやデータの書き換えなどを行うことができる。このようにして、インクジェットプリンタはトレイ１に配置されたＣＦカードからＣＧカード内に記憶されたデータの読み出しやデータの書き換えなどを行うことができる。
【００７９】
なお、図３Ｃは一例であり、図１に示すようにＳＤカードやメモリスティックの場合の接続も図示はしないが図３Ｃの場合と同様である。また、図１に示すようにＣＦカード、ＳＤカード、メモリスティックなどの記憶媒体がトレイ１にそれぞれ複数枚配置されている場合には、各記憶媒体（各記憶媒体用の端子）が図３Ｃの接点２８の位置に順次搬送されてくると、インクジェットプリンタは、接点２８と電気的に接続される各記憶媒体に対して上記説明したように記憶媒体内に記憶されたデータの読み出しやデータの書き換えなどを行うことができるため、この接点２８に順次接続される各記憶媒体からその記憶媒体に記憶されたデータの読み出しやデータの書き換えなどを順次行うことができる。
【００８０】
［印刷処理：図４Ａ，４Ｂ］
上記説明した本インクジェットプリンタの構成において、ＲＯＭ５に格納された制御プログラムに基づいて本実施形態のＣＰＵ４が各部を制御しながら実行する印刷処理について、図４Ａおよび図４Ｂのフローチャットに沿って説明する。
【００８１】
なお下記に説明する本実施形態では、インクジェットプリンタにトレイを装填後にユーザによる操作で、印刷キー入力（キー８で印刷キーの押下）、排出キー入力（キー８で排出キーの押下）、データ転送処理の入力（キー８でインターフェース９からのデータ転送の指示）などが行われ、その入力に応じて、順次表面印刷、順次合成表面印刷、別紙印刷の動作が切換わる構成を一例として説明する。また、下記の説明では、図１のトレイにＳＤカード３枚、メモリスティック２枚、ＣＦカード２枚が装着された場合を例にとり説明する。
【００８２】
図４Ａにおいて、印刷処理を開始時点では、イニシャル状態では、セレクタ１３はどの記憶媒体用の制御信号も選択しておらず、電源回路１５も電源供給を行わないので、接点２８はどの端子もフローティング状態になっている。
【００８３】
まず、ステップＳ１で、トレイ装填キーが押下されたかどうかを判断し、押下されていなければ、ステップＳ２に進み、インターフェイス９から印刷コマンド／データが入力されているかを判断する。
【００８４】
ステップＳ２において印刷コマンド／データを受信していなければステップＳ１に戻り、印刷コマンド・データを受信していれば、ステップＳ３に進み、通常の印刷媒体（記録媒体、用紙など）に印刷してから一連の作業を終了する（本制御を抜ける）。
【００８５】
一方、ステップＳ１において、トレイ装填キーが押下されていた場合には、ステップＳ４に進み、装填されたトレイをあらかじめ決められた第一例の接点位置まで搬送を行った上で、搬送方向に微小な往復駆動をして接点の清掃を行う。この清掃処理により、接点部分の酸化皮膜を取り除き、接点の導通をよくする。ここで、第一例の接点位置とは、例えば、図１のトレイにＳＤカード３枚、メモリスティック２枚、ＣＦカード２枚が装着された場合には、搬送方向に対して図１のトレイの裏面のＴＣＦ１の位置（ＣＦカードの１枚目の接点ＴＣＦ１がインクジェットプリンタの接点２８と接触する点の位置）である。
【００８６】
次に、ステップＳ５、ステップＳ６、ステップＳ８で印刷キー押下、インターフェイス９からの印刷データの受信またはトレイ排出キー押下のいずれかのイベントを待つ。すなわち、ステップＳ５で印刷キーの押下を検出した場合はそのままステップＳ９へ進み、印刷キーの押下を検出しない場合はステップＳ６に進み、インターフェイス９からの印刷データの転送指示を検出した場合は印刷データを受信してからステップＳ９へ進み、ステップＳ６でインターフェイス９からの印刷データの転送指示を検出しない場合はステップＳ８に進み、トレイ排出のキーが押下されていない場合はステップＳ５に戻り、トレイ排出のキーが押下されている場合は（Ａ）の処理に進む（（Ａ）の処理は図４Ｂを用いて後述する）。
【００８７】
一方、ステップＳ９では、判別用接点１７（図２）の信号を受信したメディア検出１６の出力で、接続しようとしている記憶媒体の形式（種類：ＣＦカード、ＭＳ、ＳＤカード）を判別し、記憶媒体の形式（種類）がＣＦカードと判別された場合にはステップＳ１０→ステップＳ１３→ステップＳ１４の処理を行う。また、ステップＳ９で記憶媒体の形式（種類）がメモリスティックと判別された場合にはステップＳ１１→ステップＳ１５→１６の処理を行い、記憶媒体の形式（種類）がＳＤカードと判別された場合にはステップＳ１２→ステップＳ１７→ステップＳ１８の処理を行う。すなわち、ステップＳ１０、１１、１２でそれぞれの記憶媒体に対応する制御信号を選択して接続させ（図２のセレクタ１３）、ステップＳ１３，１５，１７で記憶媒体がトレイに装着されているか否かを判断し、装着されていなければ、ステップＳ３３で接続の選択を解除してからステップＳ２８へ進み、装着されていればステップＳ１４，１６，１８で対応する電源ＯＮとする。
【００８８】
次に、ステップＳ１９で記憶媒体に格納されているＤＰＯＦ（ダイレクト・プリント・オーダー・フォーマット）情報を読み出し、そこで印刷指定されている最初の指定画像ファイルをステップＳ２０で読み出し、さらに電源をＯＦＦにしてから制御信号の選択された接続を解除する。
【００８９】
次に、ステップＳ２１では、ステップＳ６で受信した印刷データがあれば、ステップＳ１９で読み出した記憶媒体からのファイルと受信した印刷データを合成して合成データを作成してから（受信した印刷データがない場合には何もしないで）、ステップＳ２２〜ステップＳ２６に進み、記憶媒体によって異なる印刷サイズの変更処理を行う。
【００９０】
すなわち、記憶媒体がＣＦカードの場合にはステップＳ２２でＣＦサイズと変倍処理し、記憶媒体がメモリスティックの場合には、ステップＳ２３でハーフサイズかどうか判断し、普通サイズと判別されるとステップＳ２４に進み、変倍処理と必要に応じてトリミング処理を行う。またステップＳ２３でハーフサイズと判別されるとステップＳ２５に進み、変倍処理を行う。また、記憶媒体がＳＤカードの場合には、ステップＳ２６でＳＤカードサイズに変倍する。
【００９１】
ここまでの処理により記憶媒体上に印刷すべきデータができたので、ステップＳ２７で、トレイ１の表側（図１）で、ＤＰＯＦ情報を読み出した記録媒体の表面に、上記の印刷すべきデータに基づいて印刷を行う。
【００９２】
次に、ステップＳ２８で、このトレイに装着された記憶媒体の数（ｎ個）まで読み出し／印刷処理が終了したか否かを判別し、まだ残り（印刷を行っていない記憶媒体）があれば、ステップＳ３０に進み、トレイ１の裏面の次の接点列まで（例えば、ＣＦ１の印刷が終了した場合には、次のＴＣＦ２の接点の位置）トレイを搬送し、かつ、搬送方向に微小な往復駆動をしてトレイ裏面とプリンタ双方の接点の清掃を行った上で、ステップＳ９に戻って上記説明した同様の処理を繰り返し行うことにより順次ＤＰＯＦ情報を読み出した記憶媒体の表面に印刷する。
【００９３】
一方、ステップＳ２８でｎ番目の記憶媒体までの処理が終了したと判断された場合には、ステップＳ２９に進み、トレイ１を排出してから一連の作業を終了する（本制御を抜ける）。
【００９４】
一方、ステップＳ８において第１列位置にトレイ１を装填した状態でトレイ排出キーを検出した場合（図４Ａの（Ａ））は、引き続いて図４Ｂの処理を行う。  すなわち、図４Ｂでは、図４Ａの（Ａ）に引き続いてステップＳ１０９〜ステップＳ１２０までの処理を行うが、このステップＳ１０９〜ステップＳ１２０までの処理は、図４Ａで示したステップＳ９〜ステップＳ２０と同様の処理であるのでその説明は重複するので省略する。図４ＢのステップＳ１２０まででの処理で印刷データを準備した後、ステップＳ３１に進み、トレイ１を排出してから、ステップＳ３２に進み通常の印刷媒体（記録媒体；用紙など）への印刷を行ってから一連の作業を終了する（本制御を抜ける）。
【００９５】
なお、上記説明した本実施形態の例では、トレイ装填後のユーザ操作：印刷キー／排出キー／データ転送によって、順次表面印刷／順次合成表面印刷／別紙印刷の動作を切換える構成としてあるが、機器の構成・性格により、最適なあらゆる印刷モード設定手順が構成可能である。例えば、複数の搬送路を独立に制御可能な系であれば、トレイにセットされた記憶媒体の内容を全て、またはＤＰＯＦ指定されたものを全て、他系の搬送路で別の印刷メディアに連続印刷することも可能であり、いわゆる、フォト・ダイレクト（ＰＤ）プリンタをスマートに構成するひとつの方案ともなり得る。
【００９６】
また、記録媒体の判別については、上記説明した本実施形態の例では、読み出し用接点の延長上に並ぶ接点としたが、反射形センサ３２を用いて読み取るトレイ１表面の反射板で構成することもできる。さらに、トレイはプリンタと別体としても、内蔵としても構成できる。
【００９７】
以上説明したように、本実施形態の処理を行うことにより、記憶媒体の表面に、記憶媒体に記録されている内容を表わす代表的な画像や文字等を高精細に印刷することができるため、保存する記憶媒体の枚数が増えても、記憶媒体に保存されているデジタル写真を容易に判別することができる。そのため、記憶媒体に保存されている「写真」の内容がすぐに判別できないという従来の問題点を解決することができる。
【００９８】
また、本インクジェットプリンタは、通常の紙搬送路に、記憶媒体をセットしたトレイを装填し、セットした記憶媒体の内容を読み出して印刷することができるので、ＰＣのないユーザも容易に記憶媒体上に必要な印刷をすることができる。
【００９９】
また、本インクジェットプリンタは、ＤＰＯＦ（ダイレクト・プリント・オーダー・フォーマット）で、すなわちデジタルカメラ上で、指定された代表的な画像や日付などを記憶媒体の表面に印刷することができるので、複数の記憶媒体があっても記憶媒体を容易に整理することができる。また、本インクジェットプリンタは、記憶媒体に保存されているデジタル写真（画像データ）を印刷媒体に記録できるので、フォト・ダイレクト機能を同時に実現できる。
【０１００】
さらに、複数枚・複数種類の記憶媒体に対応するので、たまった写真もまとめて短時間で整理することもできるし、デジタルカメラの買い換えなどで記憶媒体の形式が変わっても心配ない。
【０１０１】
このように、本実施形態のインクジェットプリンタは、記憶媒体に格納されたデジタル写真データの管理を、ホスト機器ＰＣなしで実現することができる。また、複数の記憶媒体の整理を一括して行うことができる。さらに、ホストコンピュータとの並用で、より自由なラベリングを行うこともできる。この場合には、ラベル画像の選択自由度を大幅に向上できる。
【０１０２】
そのため、市販の記憶媒体収納用アルバム等を用いれば、驚くべき多量のデジタル写真（画像データ）をコンパクトな一冊に、わかりやすく整理することが可能となり、デジタル写真文化の浸透に一層のはずみをつけるものである。
【０１０３】
［他の実施形態］
なお、本実施形態では、図１に示したような複数種類のメモリカードを装着可能なトレイに限定するものではない。例えば、ＣＦカードのみを装着可能とするトレイでも構わない。
【０１０４】
なお、本発明は、例えば、装置、方法、プログラムもしくは記憶媒体などとしての実施態様を取ることが可能であり、具体的には、複数の機器（例えばホストコンピュータ、インターフェース機器、リーダ、プリンタなど）から構成されるシステムに適用しても、一つの機器からなる装置（例えば、複写機、ファクシミリ装置など）に適用してもよい。
【０１０５】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。
【０１０６】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部または全部を行い、その処理によって前述した実施形態の機能が実現される場合も含まれることは言うまでもない。
【０１０７】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。本発明を上記記憶媒体に適用する場合、その記憶媒体には、先に説明した図４Ａ、４Ｂに示した処理を実現するプログラムが格納されることになる。
【図面の簡単な説明】
【０１０８】
【図１】本実施形態におけるトレイの構成の一例を説明する図である。
【図２】本実施形態におけるプリンタの制御回路構成を説明する図である。
【図３Ａ】本実施形態における搬送路（一部）の概略構成を示す断面図である。
【図３Ｂ】本実施形態における搬送路（一部）の概略構成を示す上面視図である。
【図３Ｃ】ＣＧカード用接続端子（ＴＣＦ１Ａ）とＣＦ用端子（ＴＣＦ１）の接続の一例を説明する部分断面図である。
【図４Ａ】本実施形態における印刷処理を示す図である。
【図４Ｂ】図４Ａの印刷処理における（Ａ）以降の処理を示す図である。
【図５】本実施形態のインクジェットプリンタの非使用時の斜視図である。
【図６】本実施形態のインクジェットプリンタの使用時の斜視図である。
【図７】本実施形態のインクジェットプリンタの内部機構部を説明する右上部からの斜視図である。
【図８】本実施形態のインクジェットプリンタの内部機構部を説明する左上部からの斜視図である。
【図９】本実施形態のインクジェットプリンタの側断面図である。
【符号の説明】
【０１０９】
Ｍ１０１０ シャーシ
Ｍ１０１１ ガイドレール
Ｍ２０００ ベース 
Ｍ２０１０ 圧板
Ｍ２０１２ 圧板バネ
Ｍ２０１３ 分離シート
Ｍ２０２０  戻しレバー
Ｍ２０２１ 戻しレバーバネ
Ｍ２０３０  可動サイドガイド
Ｍ２０４０ 分離ローラホルダー
Ｍ２０４１ 分離ローラ
Ｍ２０４４ 分離ローラリリースシャフト
Ｍ２０６０ 給紙トレイ
Ｍ２０７０ 駆動部
Ｍ２０８０ 給紙ローラー
Ｍ３０００ ピンチローラホルダ
Ｍ３０２１  ＰＥセンサレバー
Ｍ３０３０ ペーパーガイドフラッパー
Ｍ３０４０ プラテン
Ｍ３０４１  紙押さえ
Ｍ３０６０ 搬送ローラ
Ｍ３０６１ プーリ
Ｍ３０６２ コードホイール
Ｍ３０７０  ピンチローラ
Ｍ３１００ 第１の排紙ローラ
Ｍ３１１０ 第２の排紙ローラ
Ｍ３１１１  弾性体
Ｍ３１２０  拍車 
Ｍ３１３０ 拍車ホルダ
Ｍ３１６０ 排紙トレイ
Ｍ４０００ キャリッジ
Ｍ４０１０ ヘッドセットレバー
Ｍ４０２０ ガイドシャフト
Ｍ４０３０  摺動シート
Ｍ４０４１  タイミングベルト
Ｍ４０４２ アイドルプーリ
Ｍ４０９０  位置検出センサ
Ｍ５０００  ポンプ
Ｍ５０１０  キャップ
Ｍ５０１１ キャップ吸収体  
Ｍ５０２０  ブレード
Ｍ５０６０  ブレードクリーナー
Ｍ７０１０  フロントカバー
Ｍ７０３０  アクセスカバー
Ｍ７０４０  上ケース
Ｍ７０６０  ＬＥＤガイド
Ｍ７０７０  キースイッチ
７０８０  下ケース
１． トレイ
２． 反射板
３． 切換用接点
４． ＣＰＵ
５． ＲＯＭ
６． ＲＡＭ
７． 印刷制御部
８． キー
９． インターフェイス
１０． ＳＤカード読み出し制御部
１１． メモリスティック読み出し制御部
１２． ＣＦカード読み出し制御部
１３． セレクタ
１４． 読み出し用接点
１５． 電源回路
１６． メディア検出部
１７． 判別用接点
２０．  キャリッジ
２１．  キャリア軸
２２．  ピンチローラ
２３．  紙送りローラ
２４．  第一排紙ローラ
２５．  第二排紙ローラ
２６．２７．拍車
２８．  接点
２９．  プラテン
３０．  プラテン吸収体
３１．  プリントヘッド
３２．  反射形センサ
３３．  シャッター機構
【図１】
2005169871.tif 000003
【図２】
2005169871.tif 000004
【図３Ａ】
2005169871.tif 000005
【図３Ｂ】
2005169871.tif 000006
【図３Ｃ】
2005169871.tif 000007
【図４Ａ】
2005169871.tif 000008
【図４Ｂ】
2005169871.tif 000009
【図５】
2005169871.tif 000010
【図６】
2005169871.tif 000011
【図７】
2005169871.tif 000012
【図８】
2005169871.tif 000013
【図９】
2005169871.tif 000014